(57)【要約】【課題】操作負担を軽減する。【解決手段】実施の形態の表示処理装置は、受付手段と、表示手段と、を備える。受付手段は、所定の操作を受け付ける。表示手段は、検索対象データが一覧として配置された第１の表示画面を表示し、受付手段が所定の操作を受け付けた場合に、第１の表示画面とレイアウトが異なる表示画面であって、第１の表示画面に表示されていない検索対象データが配置された第２の表示画面を、第１の表示画面に重畳して表示する。受付手段は、第２の表示画面に表示された検索対象データの選択を受け付ける。表示手段は、選択を受け付けた検索対象データを基準として、他の検索対象データが配置された、第２の表示画面とレイアウトが異なる第３の表示画面を表示する。【選択図】図１
2012008868.tif 000002
【特許請求の範囲】
【請求項１】
所定の操作を受け付ける受付手段と、
検索対象データが一覧として配置された第１の表示画面を表示し、前記受付手段が前記所定の操作を受け付けた場合に、前記第１の表示画面とレイアウトが異なる表示画面であって、前記第１の表示画面上に表示されていない検索対象データが配置された第２の表示画面を、前記第１の表示画面に重畳して表示する表示手段と、
を備え、
前記受付手段は、さらに、前記第２の表示画面に表示された前記検索対象データの選択を受け付け、
前記表示手段は、さらに、選択を受け付けた前記検索対象データを基準として、他の検索対象データが配置された、前記第２の表示画面とレイアウトが異なる第３の表示画面を表示すること、
を特徴とする表示処理装置。
【請求項２】
前記表示手段が表示する前記第１の表示画面と、前記第３の表示画面と、はレイアウトが同一であること、
を特徴とする請求項１に記載の表示処理装置。
【請求項３】
前記表示手段は、前記第１の表示画面を表示した後、前記所定の操作を受け付けた際、所定の条件を満たしている場合に、前記第２の表示画面を表示せずに、前記第３の表示画面を表示すること、
を特徴とする請求項１又は２に記載の表示処理装置。
【請求項４】
前記検索対象データ毎の属性情報を記憶する属性記憶手段と、
前記検索対象データ毎の利用状況情報を記憶する利用記憶手段と、
前記利用記憶手段に記憶された前記検索対象データ毎の前記利用状況情報と、前記属性記憶手段に記憶された前記検索対象データ毎の前記属性情報と、に基づいて、検索対象データを抽出する抽出手段と、
前記抽出手段に抽出された前記検索対象データから、前記表示手段により前記第１の表示画面に配置された前記検索対象データを除去する除去手段と、をさらに備え、
前記表示手段は、前記除去手段により除去された後の前記検索対象データを配置した、前記第２の表示画面を表示すること、
を特徴とする請求項１乃至３のいずれか１つに記載の表示処理装置。
【請求項５】
前記表示手段は、さらに、前記受付手段により選択を受け付けられた前記検索対象データの内容を示す表示情報を所望の位置に配置するとともに、前記検索対象データに関連する他のデータの内容を示す表示情報をそれぞれ配置した一覧情報を、前記第３の表示画面として表示すること、
を特徴とする請求項１乃至４のいずれか１つに記載の表示処理装置。
【請求項６】
表示処理装置で実行される表示処理方法であって、
表示手段が、検索対象データが一覧として配置された第１の表示画面を表示する第１の表示ステップと、
受付手段が、所定の操作を受け付ける受付ステップと、
前記受付手段が、前記受付ステップにより前記所定の操作を受け付けた場合に、前記第１の表示画面とレイアウトが異なる表示画面であって、前記第１の表示画面上に表示されていない検索対象データが配置された第２の表示画面を、前記第１の表示画面に重畳して表示する第２の表示ステップと、
前記受付手段が、前記第２の表示画面に表示された前記検索対象データの選択を受け付ける第２の受付ステップと、
表示手段が、前記第２の受付ステップにより選択を受け付けた前記検索対象データを基準として、他の検索対象データが配置された、前記第２の表示画面とレイアウトが異なる第３の表示画面を表示する第３の表示ステップと、
を含むことを特徴とする表示処理方法。
【請求項７】
検索対象データが一覧として配置された第１の表示画面を表示する第１の表示ステップと、
所定の操作を受け付ける受付ステップと、
前記受付ステップにより前記所定の操作を受け付けた場合に、前記第１の表示画面とレイアウトが異なる表示画面であって、前記第１の表示画面上に表示されていない検索対象データが配置された第２の表示画面を、前記第１の表示画面に重畳して表示する第２の表示ステップと、
前記第２の表示画面に表示された前記検索対象データの選択を受け付ける第２の受付ステップと、
前記第２の受付ステップにより選択を受け付けた前記検索対象データを基準として、他の検索対象データが配置された、前記第２の表示画面とレイアウトが異なる第３の表示画面を表示する第３の表示ステップと、
をコンピュータに実行させるための表示処理プログラム。
【発明の詳細な説明】
【技術分野】
【０００１】
本発明の実施形態は、表示処理装置、表示処理方法、及び表示処理プログラムに関する。
【背景技術】
【０００２】
近年、記録媒体の大容量化や、ＶＯＤサービスの普及などにより、放送、ネットワーク上のデータ（例えば、動画コンテンツ）も含め、多種多様なデータに手軽にアクセスすることが可能となってきている。ユーザが、このような膨大なデータの中から所望のデータを探し出すことが非常に労力のかかる作業となっている。このような状況において、ユーザが所望するデータを探し出すための技術がいくつか提案されている。 
【０００３】
例えば、特許文献１に記載された技術では、あるデータをキーとして、関連するデータを一覧表示することで、ユーザにデータを選択してもらう技術を提案している。
【先行技術文献】
【特許文献】
【０００４】
【特許文献１】特開２０１０−５５４２５号公報
【発明の概要】
【発明が解決しようとする課題】
【０００５】
しかしながら、特許文献１に記載された技術を含む、従来の技術では、データが一覧表示された時に、当該一覧表示に所望するデータがない場合、異なる種別の検索を新たに行わねばならず、所望するデータを検出するまでの操作負担が大きくなる。
【０００６】
本発明は、上記に鑑みてなされたものであって、操作負担を軽減する表示処理装置、表示処理方法、及び表示処理プログラムを提供することを目的とする。
【課題を解決するための手段】
【０００７】
実施の形態の表示処理装置は、受付手段と、表示手段と、を備える。受付手段は、所定の操作を受け付ける。表示手段は、検索対象データが一覧として配置された第１の表示画面を表示し、受付手段が所定の操作を受け付けた場合に、第１の表示画面とレイアウトが異なる表示画面であって、第１の表示画面上に表示されていない検索対象データが配置された第２の表示画面を、第１の表示画面に重畳して表示する。受付手段は、さらに、第２の表示画面に表示された検索対象データの選択を受け付ける。表示手段は、さらに、選択を受け付けた検索対象データを基準として、他の検索対象データが配置された、第２の表示画面とレイアウトが異なる第３の表示画面を表示する。
【図面の簡単な説明】
【０００８】
【図１】図１は、第１の実施の形態にかかるデジタルテレビジョン表示装置の構成を示すブロック図である。
【図２】図２は、ＴＶ番組をコンテンツとした場合におけるメタデータの一例を示す説明図である。
【図３】図３は、コンテンツの内容を表わす表示情報の一例を示す図である。
【図４】図４は、コンテンツの内容を表わす表示情報の一例を示す図である。
【図５】図５は、項目と項目軸と領域を説明する模式図である。
【図６】図６は、項目と項目軸と領域を説明する模式図である。
【図７】図７は、関連コンテンツ一覧情報を説明する模式図である。
【図８】図８は、関連コンテンツ一覧情報を説明する模式図である。
【図９】図９は、関連コンテンツ一覧情報を説明する模式図である。
【図１０】図１０は、関連コンテンツ一覧情報を説明する模式図である。
【図１１】図１１は、注目コンテンツに関する設定を行う設定画面の例を示した図である。
【図１２】図１２は、表示制御部１０６が表示する注目コンテンツ一覧画面の例を示した図である。
【図１３】図１３は、本実施の形態にかかるデジタルテレビジョン表示装置１００における、画面操作に関する処理の手順を示すフローチャートである。
【図１４】図１４は、本実施の形態にかかるデジタルテレビジョン表示装置１００における画面遷移の例を示した図である。
【発明を実施するための形態】
【０００９】
図１は、第１の実施形態にかかるデジタルテレビジョン表示装置１００の構成を示すブロック図である。図１に示すように、デジタルテレビジョン表示装置１００は、利用状況記憶部１４０と、電子番組情報記憶部１５０と、録画番組記憶部１６０と、表示部１７０と、通信部１９０と、を備えている。そして、デジタルテレビジョン表示装置１００は、さらに通信部１９０を介して、外部ネットワーク上に配置されたデジタルテレビジョン表示装置１９５と接続されている。
【００１０】
また、デジタルテレビジョン表示装置１００は、ＡＳＩＣやＣＰＵ等の処理装置、デジタルテレビジョン表示装置１００の動作を制御する所定のプログラムが格納されたＲＯＭや当該処理装置のワーク領域となるＲＡＭ等の記憶装置を備えており（何れも図示せず）、当該処理装置と記憶装置に格納されたプログラムとの協働により、操作受付部１０１、メタデータ検索部１０２、メタデータ取得部１０３、関連度算出部１０４、表示情報生成部１０５、表示制御部１０６、コンテンツ取得部１０７、放送受信部１０８、抽出部１０９の各機能部を実現する。本実施の形態では、ＴＶ番組等を録画した映像を、コンテンツとする。
【００１１】
図１に示すデジタルテレビジョン表示装置１００では、現在放送中のコンテンツの他、ユーザの操作等に基づいて録画番組記憶部１６０に記憶されたコンテンツ（以下、ＰＶＲコンテンツと称す）を視聴できる。
【００１２】
また、デジタルテレビジョン表示装置１００は、放送局の数だけ、図示しないデジタル放送チューナを備えている。そして、これらのデジタル放送チューナにより、録画番組記憶部１６０に対してコンテンツが自動的に記録される。この自動的に記録されたコンテンツを、自動録画コンテンツと称す。この自動録画コンテンツは、ユーザからＰＶＲコンテンツとして保存するような操作がなされない限り、録画されてから一週間が経過した時点で自動的に削除されるものとする。これにより、本実施の形態にかかるデジタルテレビジョン表示装置１００では、既に放送済みの一週間分のコンテンツを視聴できる。
【００１３】
また、１週間分の自動録画コンテンツを保持することに伴い、デジタルテレビジョン表示装置１００は、過去１週間分の電子番組表も、後述する電子番組情報記憶部１５０で保持する。これにより、ユーザは、過去一週間のコンテンツについても、電子番組表（以下、過去電子番組表と称す）から選択することで視聴することができる。
【００１４】
そして、本実施の形態にかかるデジタルテレビジョン表示装置１００では、現在放送中及び放送予定のコンテンツと、ＰＶＲコンテンツと、自動録画コンテンツと、のいずれもコンテンツとする。
【００１５】
録画番組記憶部１６０は、映像等のコンテンツを記憶するＨＤＤやメモリ等の記憶媒体である。また、録画番組記憶部１６０は、コンテンツとともに提供されるメタデータ（属性情報）を、当該コンテンツに対応付けて記憶している。換言すれば、録画番組記憶部１６０は、コンテンツ毎の属性情報を記憶する属性記憶部としての役割を果たす。
【００１６】
本実施の形態にかかるメタデータは、コンテンツの内容を示す情報（コンテンツ情報）とする。そして、録画番組記憶部１６０では、メタデータを、コンテンツの内容を分類する項目ごとに格納している。具体的には、録画番組記憶部１６０は、当該コンテンツのタイトル、チャンネル、放送日時、出演者、番組内容（番組内容を示すキーワードや文章）、ジャンル等の各項目に対して、それぞれの内容を示すコンテンツ情報（換言すればコンテンツのメタデータ）を対応付けて記憶している。
【００１７】
図２は、ＴＶ番組をコンテンツとした場合におけるメタデータの一例を示す説明図である。図２に示すメタデータは、ＴＶ番組を録画したコンテンツに関する情報であり、ＩＤ「２００８０８１４００１２」、ＴＶ番組のタイトル「お昼のコメディーショー」、チャンネル「○×放送」、放送日時「２００８年８月１日  １２：００〜１２：４０」、出演者「○○△、□□××」、番組内容「お昼から笑いの世界にいざなう」、ジャンル「お笑い」などの情報が記憶されている。
【００１８】
なお、上記では、メタデータが予め設定された状態で提供される態様を説明したが、このような態様に限定されるものではない。例えば、リモートコントローラ（以下、リモコンとも称す）９０やＰＣのキーボードなどの入力装置などを介してユーザから入力された情報をメタデータとして、コンテンツと関連付けて録画番組記憶部１６０に記憶してもよい。
【００１９】
電子番組情報記憶部１５０は、電子番組表（ＥＰＧ：Electronic  Program  Guide）を管理・配信している外部サーバ、またはＴＶ放送から取得した電子番組表を記憶するＨＤＤやメモリ等の記憶媒体である。具体的には、インターネットなどのネットワーク網に接続されたサービス提供者のサーバ装置から、通信部１９０を介してＴＶ、ＣＡＴＶ、ＣＳ放送、ＢＳ放送などの電子番組表を取得、又はＴＶ放送により放送された電子番組表を、アンテナやケーブル（不図示）を介して受信し、取得又は受信した電子番組表を記憶している。また、電子番組情報記憶部１５０は、コンテンツ毎に様々なステータスを記憶している。
【００２０】
そして、メタデータ取得部１０３が、放送日時、番組説明、放送局名、及び放送時刻を取得し、表示制御部１０６が、これら情報に基づいて、電子番組表や、様々なコンテンツ一覧画面など生成、表示のための処理を行う。
【００２１】
ここで、電子番組表には、現在から未来のある時点（例えば、１週間後）までに放送される番組の一覧情報のほか、現在から過去のある時点（例えば１週間前）までに放送された番組（自動録画コンテンツ）の一覧情報（過去電子番組表）も含まれている。これにより、ユーザが過去電子番組表を参照し、当該過去電子番組表から選択したコンテンツに基づいて、自動録画コンテンツを視聴できる。
【００２２】
なお、電子番組情報記憶部１５０に記憶された番組に関する情報は、定期的に更新されるものとする。例えば、時間経過やユーザの操作に応じて各ステータスの設定が更新されたり、各コンテンツを示すレコードの追加、削除が行われたりする。
【００２３】
通信部１９０は、他のデジタルテレビジョン表示装置１９５など、コンテンツを格納している様々な装置に対して、ネットワークを介して通信する。通信部１９０は、他の装置との間で、コンテンツ（ＰＶＲコンテンツや、自動録画コンテンツ）等を送受信する他に、これらコンテンツのメタデータや、さらには、デジタルテレビジョン表示装置１９５が保持している電子番組表についても送受信できる。これにより、デジタルテレビジョン表示装置１００であっても、他のデジタルテレビジョン表示装置１９５が保持しているコンテンツ等について検索、表示等を行うことができる。
【００２４】
つまり、デジタルテレビジョン表示装置１００では、自装置が保持しているコンテンツのみならず、他の装置が保持しているコンテンツについても、ユーザがいずれの装置に格納されているのか意識することなく、視聴や検索対象として利用できる。
【００２５】
利用状況記憶部１４０は、コンテンツ毎の利用状況を記憶する。本実施の形態にかかる利用状況記憶部１４０は、利用状況として、各コンテンツが利用（再生）された回数を記憶する。
【００２６】
表示部１７０は、文字や画像を表示する液晶画面（ＬＣＤ）などであり、受信したＴＶ番組などのコンテンツや記憶されているコンテンツ、電子番組表などを表示するものである。
【００２７】
また、表示部１７０は、ユーザがコンテンツの検索を行うために、後述する表示情報生成部１０５により生成されたコンテンツの内容を表わす表示情報（図３、図４参照）を、後述する表示制御部１０６によって配置した関連コンテンツ一覧画面（図７参照）を表示する。また、表示部１７０は、各項目を、関連コンテンツ一覧画面内に表示する（図７参照）。
【００２８】
放送受信部１０８は、ＴＶ放送により放送された映像のコンテンツ（ＴＶ番組）を、アンテナやケーブル（不図示）を介して受信するものである。
【００２９】
コンテンツ取得部１０７は、ユーザが再生を所望する映像のコンテンツ、すなわち放送受信部１０８により受信したＴＶ番組などのコンテンツ、録画番組記憶部１６０に記憶されている映像のコンテンツ、または通信部１９０を介して外部ネットワークから受信したコンテンツを取得して、取得したコンテンツをデコード（再生）して表示制御部１０６に送出する。
【００３０】
操作受付部１０１は、操作機器が操作されたことを認識し、その操作を受付けるものである。操作機器としては、例えば、操作ボタンが設けられたリモコン９０や、キーボード（不図示）、マウス等であり、リモコン９０での操作は、操作ボタンの押下であり、キーボードでの操作はキーの操作であり、マウスでの操作はマウスの移動や操作ボタンの押下等である。
【００３１】
操作受付部１０１は、表示画面を表示するための操作を受け付ける。例えば、検索画面や電子番組表が表示されている場合に、注目コンテンツ一覧画面と対応付けられたボタンの押下を受け付ける。
【００３２】
操作受付部１０１は、検索の基準（キー）として用いられるコンテンツ（キーコンテンツ）の選択を受け付ける。具体的には、操作受付部１０１は、現在放送中のコンテンツ及び放送予定のコンテンツ、自動録画コンテンツ、並びにＰＶＲコンテンツのうち、表示部１７０に現在表示されているカテゴリに属するコンテンツの選択を受け付ける。
【００３３】
例えば、ユーザが複数のコンテンツから所望のコンテンツを検索し、さらにそのコンテンツと関連するコンテンツを検索する場合、表示部１７０に表示された電子番組表に表示された複数のコンテンツから検索の中心（キー）となるコンテンツ（キーコンテンツ）を、操作機器でユーザが選択すると、操作受付部１０１は、このキーコンテンツの選択操作を受け付け、検索の基点（キー）として特定すると共に、コンテンツの検索を行う旨の操作を受け付ける。
【００３４】
なお、キーコンテンツの特定手法としては、ユーザによるキーコンテンツの選択に制限するものではなく、システム側でキーコンテンツを特定してもよい。また、電子番組表から関連コンテンツ一覧画面に移動してきた場合には、電子番組表で選択されていたコンテンツをキーコンテンツとしても良い。また、再生中のコンテンツをキーコンテンツとしてもよく、その場合には、ユーザがコンテンツの再生中に操作機器を操作した場合、操作受付部１０１は、その再生中のコンテンツをキーコンテンツとする選択操作、すなわちコンテンツの検索を行う旨の操作を受け付ける。
【００３５】
さらに、操作受付部１０１は、詳細は後述するが、表示部１７０に表示された複数のコンテンツの表示情報が表示された関連コンテンツ一覧画面（図７参照）から、注目するコンテンツの表示情報に対してフォーカスする操作を受け付ける。なお、関連コンテンツ一覧画面とは、キーコンテンツと関連度が高い他のコンテンツが配置された一覧画面とする。
【００３６】
メタデータ取得部１０３は、操作受付部１０１により、キーコンテンツの選択操作を受け付けた場合、表示対象となる全てのコンテンツ（キーコンテンツおよびキーコンテンツ以外の他のコンテンツ）のメタデータを取得する。具体的には、メタデータ取得部１０３は、コンテンツのメタデータを録画番組記憶部１６０から取得する。
【００３７】
また、メタデータ取得部１０３は、電子番組情報記憶部１５０に記憶されている電子番組表から、（放送済み、放送中、又は放送予定の）コンテンツのメタデータを取得する。また、メタデータ取得部１０３は、通信部１９０を介して外部ネットワークで提供されているコンテンツに対するメタデータを取得する。
【００３８】
メタデータ検索部１０２は、操作受付部１０１により、キーコンテンツの選択操作を受け付けた場合、メタデータ取得部１０３により取得したコンテンツのメタデータから、キーコンテンツのメタデータを検索する。そして、メタデータ検索部１０２は、検索したキーコンテンツのメタデータを関連度算出部１０４に送出する。
【００３９】
さらに、メタデータ検索部１０２は、メタデータ取得部１０３により取得したキーコンテンツのメタデータから、関連度算出部１０４によりキーコンテンツとの関連度を算出する対象となる他のコンテンツのメタデータを検索する。そして、メタデータ検索部１０２は、検索した他のコンテンツのメタデータを関連度算出部１０４に送出する。
【００４０】
また、メタデータ検索部１０２は、操作受付部１０１により、キーコンテンツの選択操作を受け付けた場合、メタデータ取得部１０３により取得した全てのコンテンツのメタデータを、表示情報生成部１０５に送出する。
【００４１】
関連度算出部１０４は、メタデータ検索部１０２から送出されたキーコンテンツのメタデータと他のコンテンツのメタデータとに基づいて、キーコンテンツに対する他のコンテンツ各々の関連度を、項目毎（例えば、タイトル、チャンネルごと）に算出する。具体的に、関連度ＲＭの算出は、下記式（１）を用いて算出する。
【００４２】
【数１】
2012008868.tif 000003
【００４３】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａn（Ｍ１１（ｎ）、Ｍ２１（ｎ））は、メタデータＭ１１（ｎ）とＭ２１（ｎ）との関連度をＲＭnとして返す関数であり、Ｗａnは重みを示す値（ｎ＝１、・・・、Ｎ）である。
【００４４】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００４５】
すると、キーコンテンツに対する他のコンテンツの関連度ＲＭは、下記に示した５つの関連度ＲＭ1〜ＲＭ5の重み付き線形和に、重み付けがなされたものとして表すことができる。
ＲＭ1＝ｆａ1（メタデータＭ１１の録画日時、メタデータＭ２１の録画日時）
ＲＭ2＝ｆａ2（メタデータＭ１１のタイトル、メタデータＭ２１のタイトル）
ＲＭ3＝ｆａ3（メタデータＭ１１のチャンネル、メタデータＭ２１のチャンネル）
ＲＭ4＝ｆａ4（メタデータＭ１１のジャンル、メタデータＭ２１のジャンル）
ＲＭ5＝ｆａ5（メタデータＭ１１の出演者リスト、メタデータＭ２１の出演者リスト）
【００４６】
ｆａ1は例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００４７】
なお、ｆａ1（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００４８】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００４９】
ｆａ2は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ2の値が大きくなる。なお、番組内容に含まれるキーワードにより関連度を判断する場合も、タイトルと同様に算出することが可能である。
【００５０】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００５１】
また、メインの文字列が同じで、サブの文字列が異なる場合には、これらは共通のシリーズのコンテンツであることが多いため、このような場合には、よりｆａ2の値を大きくするなどといったこともあり得る。例えば、“あいうえお＃２”と、“あいうえお＃３”は、同じドラマコンテンツの異なる回であるとみなせるため、このような場合には、ｆａ2の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００５２】
ｆａ3は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ３を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００５３】
ｆａ4は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００５４】
ｆａ5はｆａ4と同様である。例えば、メタデータＭ１１とＭ２１との登場人物リストが夫々「ＷＷ、ＸＸ、ＹＹ」、「ＸＸ、ＹＹ、ＺＺ」の場合には、共通の登場人物は２人となるため、２×ＭＯ４を取り（ここでＭＯ４は任意の定数値）、共通の登場人物が居ない場合には０を取るような関数を用いることができる。また、登場人物にはグループも含まれるため、ある登場人物ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００５５】
同様に、登場グループや登場人物の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００５６】
なお、以上では、登場人物リストに登場する人に対して関連度の区別をしない例を示したが、これに限定されるものではない。登場人物リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００５７】
そして、関連度算出部１０４は、さらに、算出された関連度に基づいて、コンテンツ間の関連度を算出する。本実施の形態にかかる関連度算出部１０４は、関連度の計算式として、ＲAB＝ＲＭAB・ＷABを用いる。つまり、関連度算出部１０４は、コンテンツＡとコンテンツＢとの間の関連度ＲＭABと、コンテンツＡからコンテンツＢまで遷移する際の重みＷABと、を乗算することで、関連度ＲABを導出する。なお、本実施の形態では、上述した計算式を用いるが、他の計算式を用いても良い。
【００５８】
表示情報生成部１０５は、メタデータ検索部１０２から送出されたキーコンテンツのメタデータおよび他のコンテンツのメタデータに基づいて、キーコンテンツおよび他のコンテンツの内容を表わす表示情報を生成する。
【００５９】
より詳細な例としては、表示情報生成部１０５は、コンテンツが録画番組記憶部１６０に記憶された映像データのメタデータに基づいて、当該映像データの代表画像にタイトル等を付随させて、表示部１７０に表示可能とした表示情報を生成する。他の例としては、表示情報生成部１０５は、電子番組情報記憶部１５０に記憶された電子番組表に基づいて、ＴＶ番組のタイトル、放送日時、チャンネル、番組内容等を、表示部１７０に表示可能とした表示情報を生成する。
【００６０】
ここで、表示情報の詳細について説明する。図３、図４は、コンテンツの内容を表わす表示情報の一例を示す図である。図３は、例えば、録画番組記憶部１６０に記憶された映像データのメタデータに基づいて生成されたコンテンツの表示情報Ｃ１である。図３に示すように、コンテンツの表示情報Ｃ１には、Ｃ１−１にそのコンテンツの代表画像が表示され、Ｃ１−２にそのコンテンツ（映像）のタイトル「Ｌ３５８△＊６」が表示されている。さらにＣ１−３には、当該コンテンツの説明が表示される。
【００６１】
また、図４は、例えば、電子番組表に基づいて生成されたコンテンツの表示情報Ｃ２である。図４に示すように、キーコンテンツの表示情報Ｃ２は、Ｃ２−１にジャンルを示すアイコンが表示され、Ｃ２−２にそのコンテンツ（映像）のタイトルが表示され、Ｃ２−３にそのコンテンツの放送日時が表示され、Ｃ２−４には番組内容が表示される。図４に示すように電子番組表に基づいて生成されたコンテンツでは、当該コンテンツを示す画像がない代わりに、当該コンテンツのジャンルを示すアイコンと、より詳細な説明と、が表示される。
【００６２】
表示制御部１０６は、コンテンツ取得部１０７により送出されたコンテンツを表示部１７０に再生表示する。また、表示制御部１０６は、上述したように操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した関連コンテンツ一覧情報として表示する。
【００６３】
関連コンテンツ一覧情報は、キーコンテンツの表示情報を所望の位置に配置するとともに、関連度の算出に用いた項目を、当該キーコンテンツに近接する位置であってリモコン９０等の操作機器に備えられた操作ボタン、例えば十字キーの操作ボタンによる操作方向に沿う方向に配置する。本実施の形態では、十字キーの操作方向（上、下、左、右）毎に項目が割り当てられている。
【００６４】
さらに、関連コンテンツ一覧情報は、各項目の近傍に、当該キーコンテンツの表示情報の位置を中心に同心形状に形成された複数の楕円又は多角形上であって、リモコン９０等の操作機器に備えられた操作ボタン、例えば十字キーの操作ボタンによる操作方向に沿う形状で、各項目に関連する他のコンテンツの表示情報をそれぞれ配置したものである。
【００６５】
また、関連コンテンツ一覧情報においては、他のコンテンツ表示情報は、中心から放射方向に向けて項目ごとに分別された所定領域に、中心近傍から各項目に関する関連度の高い順にそれぞれ配置される。また、関連コンテンツ一覧情報は、キーコンテンツの表示情報の表示サイズを最大とし、中心近傍から離れるに従って他のコンテンツの表示情報の表示サイズを小さくして表示される。次に、関連コンテンツ一覧情報における表示情報の配置および表示動作の詳細について説明する。図５〜図７は、関連コンテンツ一覧情報を説明する模式図である。
【００６６】
まず、図５に示すように、表示制御部１０６は、キーコンテンツの表示情報Ｃ１を所望の位置に配置し、キーコンテンツの表示情報Ｃ１を中心に操作機器による方向指示に対応する方向に沿うように、ｘ軸正方向、ｘ軸負方向、ｙ軸正方向、ｙ軸負方向の４軸（軸１〜４）を設定する。さらに、表示制御部１０６は、各項目を、操作機器による方向指示に対応する方向に延出した各軸上であって、キーコンテンツの表示情報Ｃ１に近接する位置に配置する。即ち、軸の数および項目の数は、リモコン９０等の操作機器に備えられた方向を操作するための操作ボタン（十字キー）により指定可能な数（４方向）に等しい。このように項目毎に軸に従った移動方向を割り当てる。なお、リモコン９０等の操作機器に上／下／左／右／右上／右下／左上／左下の８キーが設けられた場合は８軸まで設けることができる。
【００６７】
そして、表示制御部１０６は、図６に示すように、各軸（軸１〜４）をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を各項目１〜４に対応付けて生成する。
【００６８】
次に、表示制御部１０６は、図７に示すように、キーコンテンツの表示情報Ｃ１の位置を中心とした同心形状に形成された複数の８角形Ｆ１、Ｆ２…上であって、リモコン９０に備えられた操作ボタンによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。なお、キーコンテンツ以外のコンテンツの表示情報に含まれる説明については省略する。
【００６９】
以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００７０】
このとき、表示制御部１０６は、図８に示すように、他のコンテンツの表示情報を、キーコンテンツの表示情報Ｃ１が配置されている中心近傍から外側に向かって、キーコンテンツとの関連度の高い順に配置する。すなわち、表示制御部１０６は、図７で示すと、８角形Ｆ１上に、最もキーコンテンツとの関連度が高い他のコンテンツの表示情報を配置し、さらに、Ｆ２、Ｆ３…（不図示）上に、関連度の高い順に他のコンテンツの表示情報を配置していく。
【００７１】
また、表示制御部１０６は、各項目に関するキーコンテンツとの関連度が高い順に、他のコンテンツの表示情報を、各項目（Ｋ１、Ｋ２、Ｋ３、Ｋ４）に対応する各表示領域（領域１、領域２、領域３、領域４）に配置していく。つまり、表示制御部１０６は、図９に示すように、項目Ｋ１に対して境界線Ｂ１と境界線Ｂ４とで囲まれた領域１を割当て、項目Ｋ２に対して境界線Ｂ１と境界線Ｂ２とで囲まれた領域２を割当て、項目Ｋ３に対して境界線Ｂ２と境界線Ｂ３とで囲まれた領域３を割当て、さらに、項目Ｋ４に対して境界線Ｂ３と境界線Ｂ４とで囲まれた領域４に割り当てられる。そして、各領域においては、各項目に関するキーコンテンツとの関連度が高い順に、図９の表示情報上に示す数字の順番で他のコンテンツの表示情報を配置する。
【００７２】
また、表示制御部１０６は、他のコンテンツの表示情報が複数の領域に属する場合、いずれか一つの領域に表示する。具体的には、表示制御部１０６は、他のコンテンツの表示情報が領域１、２の両領域に属する場合、キーコンテンツに対する関連度が最も高い項目の領域に表示する。
【００７３】
なお、表示情報Ｃ１１、２１、４１は、領域１または領域２のいずれにも属することができる位置であるが、例えば、キーコンテンツに対する関連度が所定の閾値よりも高い他のコンテンツをより多く有する項目の領域に属するように設定できる。つまり、図９における表示情報Ｃ１１、２１、４１は、領域１の項目Ｋ１より、領域２の項目Ｋ２の方が、所定の閾値より高い関連度を有する他のコンテンツをより多く存在するため、領域２に属している。また、表示情報Ｃ１３、２５、４７、１５、２９、５３、１７、３３、５９についても同様である。
【００７４】
なお、ここでは、各境界線付近に表示される表示情報を、キーコンテンツとの関連度の高さによりいずれの項目の領域に属するかを判断しているが、これに限定されることなく、例えば、キーコンテンツとの関連する他のコンテンツの総数が多い項目の領域に、各境界線付近に表示される表示情報を属するように構成してもよい。
【００７５】
表示制御部１０６は、このようにしてキーコンテンツの表示情報Ｃ１と他のコンテンツの表示情報Ｃ１１等を配置した関連コンテンツ一覧情報を生成し、生成した関連コンテンツ一覧情報を表示部１７０に表示する。
【００７６】
図１０は、表示制御部１０６が表示する関連コンテンツ一覧画面を示した図である。図１０に示すように、上下左右の操作方向に沿う形状で他のコンテンツの表示情報を配置したため、リモコン９０の操作ボタンやキーボードキーにより左右の指示操作を受け付けると、カーソルでフォーカスされたコンテンツ（以下、選択コンテンツ）が変わっていく。これにより、リモコン９０の十字キーなどの操作ボタンやキーボードの十字キーなどからの指示操作が行いやすくなる。
【００７７】
デジタルテレビジョン表示装置１００が表示する関連コンテンツ一覧画面では、連続的に関連するコンテンツの検索、表示を行うことができる。しかしながら、関連コンテンツ一覧画面では、表示されていないコンテンツを特定する操作が難しい。そこで、本実施の形態では、表示制御部１０６が、注目コンテンツ一覧画面を表示することとした。注目コンテンツとは、表示中の関連コンテンツ一覧画面や電子番組表上に配置されていないが、ユーザの興味があると考えられるコンテンツとする。本実施の形態では、どのようなコンテンツを注目コンテンツとするか設定が可能とする。
【００７８】
図１１が、注目コンテンツに関する設定を行う設定画面の例を示した図である。図１１に示す設定画面が表示された際に、ユーザは、リモートコントローラ９０を介して、表示対象となる注目コンテンツの種類を、“おすすめコンテンツ”、“再生履歴に含まれているコンテンツ”、“キーコンテンツの履歴”、“録画予約されたコンテンツ”、及び“現在放送中のコンテンツ”から選択する。さらに、注目コンテンツ一覧画面をスキップするか否かも選択する。当該選択により、操作受付部１０１が、注目コンテンツの種類と、注目コンテンツ一覧画面をスキップするか否かの選択と、を受け付ける。
【００７９】
図１に戻り、抽出部１０９は、除去部１２１を備え、注目コンテンツ一覧画面で表示対象となる注目コンテンツを抽出する。本実施の形態にかかる抽出部１０９は、図１１で示した設定画面で選択された注目コンテンツの種類に属するコンテンツを、注目コンテンツの候補として抽出する。
【００８０】
除去部１２１は、抽出部１０９により抽出された注目コンテンツの候補から、表示制御部１０６により現在表示している関連コンテンツ一覧画面又は電子番組表に配置されたコンテンツを、除去する。そして、除去部１２１が除去した後のコンテンツの候補のうち、所定の数のコンテンツが、注目コンテンツとして表示制御部１０６により表示される。
【００８１】
図１２が、表示制御部１０６が表示する注目コンテンツ一覧画面１２０１の例を示した図である。図１２に示すように、表示制御部１０６は、直前まで表示していた表示画面（例えば関連コンテンツ一覧画面又は電子番組表）の上に、当該注目コンテンツ一覧画面１２０１を重畳して表示する。図１２に示す注目コンテンツ一覧画面１２０１は、電子番組表及び関連コンテンツ一覧画面とレイアウトが異なる表示画面であって、重畳元の電子番組表又は関連コンテンツ一覧画面上に表示されていないコンテンツが配置されている。本実施の形態にかかる表示制御部１０６は、注目コンテンツ一覧画面で、除去部１２１に除去された後のコンテンツの候補のうち、４個の注目コンテンツを表示する。
【００８２】
つまり、本実施の形態においては、表示制御部１０６は、電子番組表又は関連コンテンツ一覧画面を表示し、操作受付部１０１が所定の操作を受け付けた場合に、注目コンテンツ一覧画面を、電子番組表又は関連コンテンツ一覧画面に重畳して表示する。
【００８３】
また、操作受付部１０１は、図１２に示す注目コンテンツ一覧画面において、表示画面として、関連コンテンツ一覧画面、又は電子番組表の選択を受け付ける。操作受付部１０１が、当該選択を受け付けることで、注目コンテンツが選択された後に表示制御部１０６が表示する表示画面が決定される。
【００８４】
ところで、本実施の形態にかかる抽出部１０９は、“おすすめコンテンツ”、“再生履歴に含まれているコンテンツ”、“キーコンテンツの履歴”、“録画予約されたコンテンツ”、及び“現在放送中のコンテンツ”のうちの一種類について、注目コンテンツを抽出している。そこで、抽出例として、“おすすめコンテンツ”の場合について説明する。抽出部１０９は、利用状況記憶部１４０に記憶されたコンテンツ毎の利用回数と、録画番組記憶部１６０に記憶されたコンテンツ毎のメタデータと、に基づいて、“おすすめコンテンツ”に属する注目コンテンツを抽出する。
【００８５】
具体的には、抽出部１０９は、利用状況記憶部１４０に記憶されたコンテンツを参照し、ユーザに参照されているコンテンツを特定する。その後、抽出部１０９は、録画番組記憶部１６０を参照し、特定したコンテンツに含まれているメタデータの統計をとる。そして、抽出部１０９は、統計結果からユーザが含まれることが多い、特定されたコンテンツによく含まれるメタデータを特定する。そして、抽出部１０９は、特定されたメタデータを所定の基準以上含むコンテンツを、注目コンテンツの候補として特定する。なお、注目コンテンツの候補の特定手法は、上述した手法に限らず、他の基準に基づいて、ユーザに対して勧めたい注目コンテンツを特定しても良い。
【００８６】
そして、操作受付部１０１は、さらに、リモートコントローラ９０を介して、注目コンテンツ一覧画面に表示されたコンテンツの選択を受け付ける。
【００８７】
その後、表示制御部１０６は、図１２で示したラジオボタンの選択に従って、電子番組表及び関連コンテンツ一覧画面のうちいずれかを表示する。そして、表示制御部１０６が、電子番組表又は関連コンテンツ一覧画面を表示する際、選択を受け付けた注目コンテンツを基準に、他のコンテンツが配置されているものとする。
【００８８】
また、注目コンテンツ一覧画面に表示される注目コンテンツの数は、４個に限定するものではなく、１以上であれば数は問わない。また、注目コンテンツ一覧画面で表示対象となる注目コンテンツは、おすすめ度合いが高いなど、最も条件に合致するコンテンツから順に所定の数を選択しても良いし、“人”“タイトル”“ジャンル”“キーワード”等の項目毎に最も合致するコンテンツをそれぞれ選択しても良い。
【００８９】
上述した構成により、本実施の形態にかかるデジタルテレビジョン表示装置１００では、電子番組表及び関連コンテンツ一覧画面に表示されていなかったコンテンツを、キーコンテンツとして関連コンテンツ一覧画面の表示等を行うことができる。
【００９０】
次に、本実施の形態にかかるデジタルテレビジョン表示装置１００における、画面操作に関する処理について説明する。図１３は、本実施の形態にかかるデジタルテレビジョン表示装置１００における上述した処理の手順を示すフローチャートである。
【００９１】
まず、表示制御部１０６が、電子番組表又は関連コンテンツ一覧画面を表示する（ステップＳ１３０１）。次に、操作受付部１０１が、リモートコントローラ９０で、注目コンテンツ一覧画面に割り当てられている、所定のボタンが押下されたか否かを判定する（ステップＳ１３０２）。所定のボタンの押下がなされていないと判定した場合（ステップＳ１３０２：Ｎｏ）、ステップＳ１３０１に戻り、表示制御部１０６が、継続して電子番組表又は関連コンテンツ一覧画面を表示する。
【００９２】
一方、所定のボタンの押下がなされたと判定した場合（ステップＳ１３０２：Ｙｅｓ）、抽出部１０９が、注目コンテンツの候補を抽出する（ステップＳ１３０３）。その後、除去部１２１が、抽出された注目コンテンツの候補から、ステップＳ１３０１で表示されていたコンテンツを除去する（ステップＳ１３０４）。
【００９３】
そして、表示制御部１０６が、ステップＳ１３０４で除去された後の注目コンテンツの候補のうち、所定の数だけ配置された注目コンテンツ一覧画面を表示する（ステップＳ１３０５）。
【００９４】
その後、操作受付部１０１が、注目コンテンツ一覧画面から、注目コンテンツの選択を受け付けたか否かを判定する（ステップＳ１３０６）。受け付けていないと判定した場合（ステップＳ１３０６：Ｎｏ）、操作受付部１０１は、継続して選択を受け付ける（ステップＳ１３０６）。
【００９５】
一方、操作受付部１０１が、注目コンテンツの選択を受け付けたと判定した場合（ステップＳ１３０６：Ｙｅｓ）、注目コンテンツ一覧画面において、関連コンテンツ一覧画面が表示先として選択されていたか否かを判定する（ステップＳ１３０７）。表示先として関連コンテンツ一覧画面が選択されていない、つまり、電子番組表が選択されていた場合（ステップＳ１３０７：Ｎｏ）、表示制御部１０６は、ステップＳ１３０６で選択された注目コンテンツが選択された状態で、電子番組表を表示する（ステップＳ１３０８）。これにより、注目コンテンツの放送中に、どのようなコンテンツが放送されているのか認識することができる。
【００９６】
一方、操作受付部１０１が、関連コンテンツ一覧画面の選択を受け付けていた場合（ステップＳ１３０７：Ｙｅｓ）、メタデータ検索部１０２は、選択された注目コンテンツをキーコンテンツとして設定し、メタデータを関連度算出部１０４に送出する（ステップＳ１３０９）。さらに、メタデータ検索部１０２は、他のコンテンツのメタデータについても、関連度算出部１０４に送出する。
【００９７】
そして、関連度算出部１０４は、メタデータ検索部１０２から送出されたキーコンテンツのメタデータと他のコンテンツのメタデータとの類似性に基づいて、キーコンテンツに対する他のコンテンツ各々の関連度を、項目毎（例えば、タイトル、チャンネルごと）に算出する（ステップＳ１３１０）。
【００９８】
そして、表示制御部１０６は、算出された関連度に基づいて、コンテンツ取得部１０７により送出されたコンテンツが配置された関連コンテンツ一覧画面を表示する（ステップＳ１３１１）。
【００９９】
図１４は、本実施の形態にかかるデジタルテレビジョン表示装置１００における画面遷移の例を示した図である。図１４に示す例では、表示制御部１０６は、録画一覧画面１４０１、関連コンテンツ一覧画面１４０２、及び電子番組表１４０３を表示できる。そして、これらいずれの画面であっても、操作受付部１０１が、リモートコントローラ９０の、注目コンテンツ一覧画面に対応するボタンの押下を受け付けた場合に、表示制御部１０６が、注目コンテンツ一覧画面１４０４、１４０５を、直前まで表示していた表示画面に重畳して表示する。注目コンテンツ一覧画面１４０４は、録画済みのコンテンツの表示情報（図３）が４個配置された表示画面とする。注目コンテンツ一覧画面１４０５は、放送予定又は放送中コンテンツの表示情報（図４）が４個配置された表示画面とする。
【０１００】
注目コンテンツ一覧画面に対応するボタンが押下された場合に、注目コンテンツ一覧画面１４０４及び注目コンテンツ一覧画面１４０５のどちらが表示されるのかは、表示制御部１０６が、直前まで表示していた録画一覧画面１４０１、関連コンテンツ一覧画面１４０２、及び電子番組表１４０３でカーソル選択されていたコンテンツに基づく。例えば、録画一覧画面１４０１、関連コンテンツ一覧画面１４０２、及び電子番組表１４０３において、ユーザがフォーカスしていたコンテンツが録画済みコンテンツの場合に、表示制御部１０６が、注目コンテンツ一覧画面１４０４を表示する。そして、ユーザがフォーカスしていたコンテンツが放送予定コンテンツの場合に、表示制御部１０６が、注目コンテンツ一覧画面１４０５を表示する。
【０１０１】
そして、操作受付部１０１が、注目コンテンツ一覧画面１４０４又は注目コンテンツ一覧画面１４０５において、注目コンテンツの選択を受け付ける。そして、当該選択を受け付けた場合、ラジオボタンによる移動先の選択結果に応じて、表示制御部１０６が、関連コンテンツ一覧画面１４０６又は電子番組表１４０７を表示する。
【０１０２】
関連コンテンツ一覧画面１４０６は、選択された注目コンテンツをキーコンテンツとして、注目コンテンツと関連のあるコンテンツが配置された表示画面とする。このため、注目コンテンツ一覧画面の表示する前に表示されていなかったコンテンツであって、興味のあるコンテンツを認識できる。
【０１０３】
電子番組表１４０７は、選択された注目コンテンツにフォーカスされた電子番組表であるため、ユーザが注目したコンテンツと同じ放送時間帯に放送しているコンテンツが表示される。これにより、ユーザは、注目コンテンツが放送されているときの状況を把握できる。
【０１０４】
図１４に示すように、表示制御部１０６が注目コンテンツ一覧画面を表示する直前に表示していた表示画面と、注目コンテンツ一覧画面の後に表示する表示画面と、は、同一のレイアウトとなる場合もあるし、同一のレイアウトとならない場合もある。
【０１０５】
また、画面遷移１４１０に示すように、関連コンテンツ一覧画面１４０２から、注目コンテンツ一覧画面１４０４、１４０５を介さずに、関連コンテンツ一覧画面１４０６まで移動できる。これは、図１１に示す設定画面で、注目コンテンツ一覧画面をスキップする設定がなされている場合に実現する。
【０１０６】
つまり、図１１に示す設定画面で、注目コンテンツ一覧画面をスキップする設定がなされている場合に、操作受付部１０１が、注目コンテンツ一覧画面に対応するボタンの押下を受け付けた時に、抽出部１０９が注目コンテンツを１つのみ抽出し、表示制御部１０６が、抽出された１つの注目コンテンツをキーコンテンツとして、関連コンテンツ一覧画面１４０６を表示する。これにより、ユーザの操作負担を軽減できる。
【０１０７】
本実施の形態にかかるデジタルテレビジョン表示装置１００以外の装置に適用しても良い。例えば、コンテンツを一時保存することが可能な領域を保持している機器、ネットワーク上に存在するコンテンツデータにアクセスが可能な機器、コンテンツのメタデータが取得できる機器、コンテンツのメタデータから代表値を抜き出すことが出来る機器、コンテンツの代表な属性情報（例えば、代表サムネイル、名称等）を一覧表示可能な機器に適用しても良い。
【０１０８】
上述した装置で表示対象がコンテンツの場合について説明した。しかしながら、検索対象データを、コンテンツなどの動画像データに制限するものではなく、画像データ、音声データ、図表データ、文書データなどのユーザが利用する様々なデータに対して適用しても良い。
【０１０９】
本実施の形態にかかるデジタルテレビジョン表示装置１００では、電子番組表や、関連コンテンツ一覧画面が表示されているときに、所定の操作を行うことで、電子番組表や、関連コンテンツ一覧画面に表示されていないが、ユーザの興味があると考えられるコンテンツがリストアップされた注目コンテンツ一覧画面を表示することとした。その後、当該注目コンテンツ一覧画面で選択されたコンテンツに基づいて、コンテンツの一覧表示画面（例えば、電子番組表または関連コンテンツ一覧画面）を表示することで、ユーザが認識していなかったコンテンツの発見を促すことができる。
【０１１０】
このように、本実施の形態にかかるデジタルテレビジョン表示装置１００によれば、関連コンテンツ一覧画面や電子番組表に興味のあるコンテンツがない場合に、当該画面上に表示されていなかったコンテンツを基準として、関連コンテンツ一覧画面や電子番組表の再表示を行うことができる。これにより、操作負担が軽減されるとともに、ユーザに対して興味のあるコンテンツを認識させることができる。
【０１１１】
なお、本実施の形態にかかるデジタルテレビジョン表示装置１００で実行される表示処理プログラムは、ＲＯＭ等に予め組み込まれて提供される。
【０１１２】
本実施の形態にかかるデジタルテレビジョン表示装置１００で実行される表示処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１３】
さらに、本実施の形態にかかるデジタルテレビジョン表示装置１００で実行される表示処理プログラムを、インターネット等のネットワークに接続されたコンピュータ上に格納し、ネットワーク経由でダウンロードさせることにより提供するように構成しても良い。また、本実施の形態にかかるデジタルテレビジョン表示装置１００で実行される表示処理プログラムをインターネット等のネットワーク経由で提供または配布するように構成しても良い。
【０１１４】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【０１１５】
１００  デジタルテレビジョン表示装置
１０１  操作受付部
１０２  メタデータ検索部
１０３  メタデータ取得部
１０４  関連度算出部
１０５  表示情報生成部
１０６  表示制御部
１０７  コンテンツ取得部
１０８  放送受信部
１０９  抽出部
１２１  除去部
１４０  利用状況記憶部
１５０  電子番組情報記憶部
１６０  録画番組記憶部
１７０  表示部
１９０  通信部
【図１】
2012008868.tif 000004
【図２】
2012008868.tif 000005
【図３】
2012008868.tif 000006
【図４】
2012008868.tif 000007
【図５】
2012008868.tif 000008
【図６】
2012008868.tif 000009
【図７】
2012008868.tif 000010
【図８】
2012008868.tif 000011
【図９】
2012008868.tif 000012
【図１０】
2012008868.tif 000013
【図１１】
2012008868.tif 000014
【図１２】
2012008868.tif 000015
【図１３】
2012008868.tif 000016
【図１４】
2012008868.tif 000017